(57)【要約】【課題】単純な構成で、遊びの要素を多く取り入れて、音符の習得を容易にしたゲーム用組スケールカードを提供する。【解決手段】ゲーム用組スケールカード１０は、５２枚の音符カードからなる音符カード組２０と４枚の休符カードからなる休符カード組３０とからなり、音符カードは、それぞれに、５線譜表２６が形成され、且つ、第１組〜第４組２１〜２４に１３枚ずつ分けられて、各組には、下第１線から上第１線までの１３種類の位置に記載された４分音符、２分音符、付点２分音符、全音符の、各々１３枚の音符カードからなり、休符カードは、４分休符、２分休符、付点２分休符、全休符がそれぞれ示された４枚からなる。【選択図】図１
2009183356.tif 000002
【特許請求の範囲】
【請求項１】
各々の上下方向中央部位置に横方向に５線譜表が形成された、１３枚を一組として、第１組から第４組の４組、合計５２枚の同一大きさの音符カードからなる音符カード組を有し、
前記第１組は、４分音符が、前記５線譜表における下第１線から上第１線までの１３の音階の位置に記載された合計１３枚の４分音符カードからなり、
前記第２組は、２分音符が、前記５線譜表における下第１線から上第１線までの１３の音階の位置に記載された合計１３枚の２分音符カードからなり、
前記第３組は、付点２分音符が、前記５線譜表における下第１線から上第１線までの１３の音階の位置に記載された合計１３枚の付点２分音符カードからなり、
前記第４組は、全音符が、前記５線譜表における下第１線から上第１線までの１３の音階の位置に記載された合計１３枚の全音符カードからなる
ことを特徴とするゲーム用組スケールカード。
【請求項２】
請求項１において、
前記音符カード組の他に、これらと同様の５線が形成された４枚の休符カードからなる休符カード組を有してなり、前記４枚の休符カードには、４分休符、２分休符、付点２分休符、全休符が別々に記載されていることを特徴とするゲーム用組スケールカード。
【請求項３】
請求項１又は２において、
前記全ての音符カードの同一個所に、カードの上下を示す上下指標を記載したことを特徴とするゲーム用組スケールカード。
【請求項４】
請求項２において、
前記全ての休符カードの同一個所に、カードの上下を示す上下指標を記載したことを特徴とするゲーム用組スケールカード。
【請求項５】
請求項１乃至４のいずれかにおいて、
譜表図を新たに設けてなり、この譜表図は、高音部譜表と低音部譜表とからなり、これら高音部譜表と低音部譜表とは、高音部譜表の下第１線が低音部譜表の上第１線となるように配置され、且つ、前記低音部譜表の下第１線から高音部譜表の上第１線までの各々の音階位置に、全音符が記載され、各全音符の楕円形空白部には、その音階名が文字により記載されていることを特徴とするゲーム用組スケールカード。
【請求項６】
請求項５において、
新たに音符一覧図を設けてなり、この音符一覧図は、上下方向に３段、横方向に４個のマス目が形成されていて、上段の４個のマス目には、横方向に、４分音符、２分音符、付点２分音符、全音符が順に記載され、中段には対応する上段の音符の名称、下段には、対応する４種の音符の長さが、４分音符を１として、１、２、３、４の数字で示されたことを特徴とするゲーム用組スケールカード。
【発明の詳細な説明】
【技術分野】
【０００１】
この発明は、ゲームをしながら、読譜力を付けることのできる音符カードを用いたゲーム用組スケールカードに関する。
【背景技術】
【０００２】
従来、例えば特許文献１に示されるような、ゲームで学ぶ音符音名、調号調名のカード・セットが提案されている。
【０００３】
これは、音符カード、音名カード、全調の調号カード、全長調名カード、全単調名カード、全調に表わされる＃と♭の数を表わした数字カードの色をそれぞれに変えて用意して、ゲームを楽しみながら音符や調号の学習をするようにしたものである。
【０００４】
又、特許文献２には、音符記号と５線譜表とが記載された音符カードを用い、各音符カードに音階の１３音を記載したものを１組として、それを４組と、ジョーカー１枚の５３枚を１セットとして、記載面は１組毎に色分けした音符トランプが提案されている。
【０００５】
これらは、いずれも、音部記号に捉われて、学習的な意図が強く、且つ専門家の協力を得ないとその学習効果を発揮することができず、カードゲームとしての楽しさや発展性が少ないという問題点があった。
【０００６】
【特許文献１】実開平６−１１７７５号公報
【特許文献２】特開２００５−２３０４８３号公報
【発明の開示】
【発明が解決しようとする課題】
【０００７】
本発明は、上記従来の問題点に鑑みてなされたものであって、音符の長さと音の高さの要素のみから音符カードを形成して、単純化し、カードゲームとしての楽しさと発展性を期待することができるゲーム用組スケールカードを提供することを課題とする。
【課題を解決するための手段】
【０００８】
この発明は、音部記号が無い５線のみに音の高さと長さとの組合せで５２枚の音符カードを形成し、単純化して、遊びの要素を大きく取り入れ、カードゲームを楽しみながら、音符の長さと音の高さを習得できるようにしたものである。
【０００９】
即ち、以下の実施例により上記課題を解決することができる。
【００１０】
（１）各々の上下方向中央部位置に横方向に５線譜表が形成された、１３枚を一組として、第１組から第４組の４組、合計５２枚の同一大きさの音符カードからなる音符カード組を有し、前記第１組は、４分音符が、前記５線譜表における下第１線から上第１線までの１３の音階の位置に記載された合計１３枚の４分音符カードからなり、前記第２組は、２分音符が、前記５線譜表における下第１線から上第１線までの１３の音階の位置に記載された合計１３枚の２分音符カードからなり、前記第３組は、付点２分音符が、前記５線譜表における下第１線から上第１線までの１３の音階の位置に記載された合計１３枚の付点２分音符カードからなり、前記第４組は、全音符が、前記５線譜表における下第１線から上第１線までの１３の音階の位置に記載された合計１３枚の全音符カードからなることを特徴とするゲーム用組スケールカード。
【００１１】
（２）前記音符カード組の他に、これらと同様の５線が形成された４枚の休符カードからなる休符カード組を有してなり、前記４枚の休符カードには、４分休符、２分休符、付点２分休符、全休符が別々に記載されていることを特徴とする（１）に記載のゲーム用組スケールカード。
【００１２】
（３）前記全ての音符カードの同一個所に、カードの上下を示す上下指標を記載したことを特徴とする（１）又は（２）に記載のゲーム用組スケールカード。
【００１３】
（４）前記全ての休符カードの同一個所に、カードの上下を示す上下指標を記載したことを特徴とする（２）に記載のゲーム用組スケールカード。
【００１４】
（５）譜表図を新たに設けてなり、この譜表図は、高音部譜表と低音部譜表とからなり、これら高音部譜表と低音部譜表とは、高音部譜表の下第１線が低音部譜表の上第１線となるように配置され、且つ、前記低音部譜表の下第１線から高音部譜表の上第１線までの各々の音階位置に、全音符が記載され、各全音符の楕円形空白部には、その音階名が文字により記載されていることを特徴とする（１）乃至（４）のいずれかに記載のゲーム用組スケールカード。
【００１５】
（６）新たに音符一覧図を設けてなり、この音符一覧図は、上下方向に３段、横方向に４個のマス目が形成されていて、上段の４個のマス目には、横方向に、４分音符、２分音符、付点２分音符、全音符が順に記載され、中段には対応する上段の音符の名称、下段には、対応する４種の音符の長さが、４分音符を１として、１、２、３、４の数字で示されたことを特徴とする（５）に記載のゲーム用組スケールカード。
【発明の効果】
【００１６】
ゲーム用組スケールカードを、主として、４分音符、２分音符、付点２分音符、及び全音符と、５線譜表における下第１線から上第１線までの１３種類の音の高さとの組合せにより合計５２枚の音符カードを構成し、単純な組合せとして、カードゲームとしての楽しさと発展性を追及しつつ、遊びながら容易に、音符の長さと音の高さについて習得することができるという効果を有する。
【発明を実施するための最良の形態】
【００１７】
本発明の実施形態に係るゲーム用組スケールカード１０は、５２枚の音符カードからなる音符カード組２０と、４枚の休符カードからなる休符カード組３０とから構成されている。
【００１８】
前記音符カード組２０は、１３枚の４分音符カード２１−１〜２１−１３からなる第１組２１と、１３枚の２分音符カード２２−１〜２２−１３からなる第２組２２と、１３枚の付点２分音符カード２３−１〜２３−１３からなる第３組２３と、１３枚の全音符カード２４−１〜２４−１３からなる第４組２４とから構成されている。
【００１９】
又、休符カード組３０は、４分休符カード３０−１、２分休符カード３０−２、付点２分休符カード３０−３及び全休符カード３０−４の４枚から構成されている。
【００２０】
前記５２枚の音符カード及び４枚の休符カードの全てに、その上下方向中央部位置に、横方向に５線譜表２６が記載されている。
【００２１】
又、この５線譜表２６の右上に、星型の上下指標２８が記載されている。
【００２２】
図１に示されるように、第１組２１の４分音符カード−２１−１〜２１−１３には、下第１線から上第１線までの１３音が、順次４分音符Ｎｑで示されている。
【００２３】
同様に、第２組２２の２分音符カード−２２−１〜２２−１３には、下第１線から上第１線までに順次１音ずつ高くなるように、音階の１３音がそれぞれ２分音符Ｎｈで表示されている。
【００２４】
第３組２３の付点２分音符カード２３−１〜２３−１３には、上記と同様に、下第１線から上第１線までに順次１音ずつ高くなるように、音階の１３音が付点２分音符Ｎｄｈによって表示されている。
【００２５】
第４組２４の全音符カード２４−１〜２４−１３には、下第１線から上第１線まで、順次１音ずつ高くなるように、音階の１３音が全音符Ｎｗによって表示されている。
【００２６】
休符カード３０における４分休符カード３０−１には、４分休符Ｒｑが、２分休符カード３０−２には２分休符Ｒｈが、付点２分休符カード３０−３には付点２分休符Ｒｄｈが、又、全休符カード３０−４には全休符Ｒｗがそれぞれ表示されている。
【００２７】
図２には、上記音符カード組２０及び休符カード組３０と共に用いられる譜表４０が示されている。
【００２８】
この譜表４０は、高音部譜表４２と低音部譜表４４とからなり、高音部譜表４２の下第１線４２−１と低音部譜表４４の上第１線４４−１３とを兼ねて表示されている。
【００２９】
又、低音部譜表４４の下第１線４４−１から高音部譜表の上第１線４２−１３までの各々の音階位置に、全音符４５が２５音階に亘って表示されている。
【００３０】
これら２５音階の全音符４５における楕円形空白部４６には、低音部譜表４４における下第１線４４−１の「ミ」から、高音部譜表４２における上第１線４２−１３の「ラ」までの音階名が記載されている。
【００３１】
又、音符カード組２０と共に用いられる音符一覧図５０が、図３に示されている。
【００３２】
この音符一覧図５０は、上下方向に３段、横方向に４個のマス目５２が形成されていて、上段５２Ａの４個のマス目には、左から右に横方向に、４分音符５３Ａ、２分音符５３Ｂ、付点２分音符５３Ｃ、全音符５３Ｄがそれぞれ表示されている。
【００３３】
又、中段５２Ｂには、各横のマス目に、順次、「名称」、「４分音符」、「２分音符」、「付点２分音符」及び「全音符」の文字が順次表示されている。
【００３４】
更に又、下段５２Ｃの個々のマス目には、左から順に、「長さ」、「１」、「２」、「３」及び「４」の文字及び数字が表示されている。
【００３５】
上記のゲーム用組スケールカード１０は、次のように用いてゲームをする。
【００３６】
まず、全５２枚の音符カードを切って（シャッフル；Ｓｈｕｆｆｌｅ）して、裏返しに山積みし、ゲーム参加者が順番にあるいはその都度ジャンケンなどをして順番に一枚ずつ音符カードを取っていく。全員が音符カードを開き、その中の最も一番高い音の人が他の人のカードをもらう。この時、音の高さが同じ場合は、音符の長さで勝ち負けを決める。必要であれば、図２の譜表４０、図３の音符一覧図５０を参照する。
【００３７】
このようにしていけば、少なくとも音の高さ、どれが高くどれが低いか、及び音符の長短が自然に習得される。
【００３８】
他のゲームとしては、例えば４人の参加者に対して、同一長さの音符カードを、各１３枚予め切って持たせておき、「開始」の合図でドから低い音順に各自が並べて、その速さを競う。
【００３９】
このゲームでは、音部記号などと無関係に、取りあえず、音の高低を理解することができる。
【００４０】
更に、別のゲームでは、５２枚の音符カードを、カルタのようにバラバラに配置し、読み手が、「ド」、「レ」等のように、音階名を読み上げて、取り手は、該当する音階名の、４分音符、２分音符、付点２分音符、及び全音符のいずれかの音符カードを取る。「ド」から「ラ」までは、音の長さ毎に２枚あるので合計８枚となる。
【００４１】
最終的には、取り手各々の取った音符カードの枚数あるいは音符の長さ、例えば４分音符は１点、２分音符は２点、付点２分音符は３点、全音符は４点（図３参照）等として、合計の点数で勝敗あるいは順位を競うことができる。
【００４２】
この過程で、音階名と５線譜表における音符の位置及び、音符の長さが取り手によって学習される。このゲームは、「ド」から「シ」までの音階の音符カードを取って終了する。
【００４３】
更に、取り手が二手に分かれて向かい合って、カルタを取り合う、いわゆる源平カルタのようにゲームをすることができる。
【００４４】
更に又、ゲーム用組スケールカード１０における上記５２枚の音符カードに加えて、４枚の休符カードの１又は全部を用い、トランプと同じようにしてゲームをすることができる。
【００４５】
このゲームでは、トランプにおけるスペード、ハート、ダイヤ、クラブの代わりに、４分音符、２分音符、付点２分音符、全音符を用い、休符カードはジョーカーとして用いる。
【００４６】
上記いずれのゲームでも、各音符カードあるいは休符カードに、星型の上下指標２８が設けられているので、音部記号が無くても上下を間違えることは無い。
【００４７】
図２の譜表４０は、高音部譜表４２と低音部譜表４４とが一覧できるようにされ、且つ、各全音符４５には、音階名が記載されているので、特に、このカードゲームの初心者には、これを図３に示される音符一覧表とともにあるいは単独で、傍らに備えてゲームさせれば、音階名と５線譜との関係や音部記号との関係を容易に理解することができる。
【００４８】
図３に示される音符一覧表では、音符の形と長さが一覧で示されているので、カードの音符の長さを容易に理解することができる。
【図面の簡単な説明】
【００４９】
【図１】本発明の実施の形態の例に係るゲーム用組スケールカードを模式的に示す平面図
【図２】上記実施の形態の例に用いた譜表を示す音符
【図３】音符と音の長さとの関係を示す音符一覧図
【符号の説明】
【００５０】
１０…ゲーム用組スケールカード
２０…音符カード組
２１…第１組
２１−１〜２１−１３…４分音符カード
２２…第２組
２２−１〜２２−１３…２分音符カード
２３…第３組
２３−１〜２３−１３…付点２分音符カード
２４…第４組
２４−１〜２４−１３…全音符カード
２６…５線譜表
２８…上下指標
３０…休符カード組
３０−１…４分休符カード
３０−２…２分休符カード
３０−３…付点２分休符カード
３０−４…全休符カード
４０…譜表
４２…高音部譜表
４２−１、４４−１…下第１線
４２−１３、４４−１３…上第１線
４４…低音部譜表
４５…全音符
４６…楕円形空白部
５０…音符一覧図
５２…マス目
５２Ａ…上段
５２Ｂ…中段
５２Ｃ…下段
５３Ａ…４分音符
５３Ｂ…２分音符
５３Ｃ…付点２分音符
５３Ｄ…全音符
【図１】
2009183356.tif 000003
【図２】
2009183356.tif 000004
【図３】
2009183356.tif 000005